【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
第１のチャンバ（１４０）と第２のチャンバ（１４５）との間の加圧流体（１６０）の移動を制限する逆流耐性ブラシシール（１１０）であって、ブラシシールが、
一緒に装着されてそれらの間にキャビティ（１３５）を形成する第１のバッキングプレート（１２５）と第２の対向するバッキングプレート（１３０）とを含む環状ハウジング（１１５）と、
各々がキャビティ（１３５）内に複数のシールブリストルを有するブラシ（１２２）を懸下するように構成された複数のブラシシールアームセクタ（１２０）と、
複数の滑動ブラシシール機構（１９０）であって、各々が、第１のチャンバ（１４０）と第２のチャンバ（１４５）との間の差圧（Ｐ１−Ｐ２）に応答して、第１のバッキングプレート（１２５）と第２のバッキングプレート（１３０）の間のキャビティ（１３５）内に前記ブラシシールアームセクタ（１２０）を位置付けるように構成されている複数の滑動ブラシシール機構（１９０）と、
第１のチャンバ（１４０）と第２のチャンバ（１４５）との間の差圧（Ｐ１−Ｐ２）に応答して、第１のバッキングプレート（１２５）及び第２のバッキングプレート（１３０）のうちの一方に前記ブラシ（１２２）を着座させるように滑動ブラシシール機構（１９０）を選択的に位置付ける手段（１９５）と
を備えるブラシシール（１１０）。
【請求項２】
第１のバッキングプレート（１２５）が第１の支持面（１２６）を含み、第２のバッキングプレート（１３０）が第２の支持面（１３１）を含み、第１の支持面（１２６）及び第２の支持面（１３１）は、ブラシが支持面に着座されたときにシールされるシャフト（１５０）に対して設計クリアランス（７０）でブラシ（１２２）の端部（１２３）を支持するように構成される、請求項１記載のブラシシール（１１０）。
【請求項３】
滑動ブラシシール機構（１９０）を選択的に滑動する手段（１９５）が、滑動ブラシシール機構（１９０）に動作可能に接続され、第１の支持面（１２６）及び第２の支持面（１３１）のうちの一方に対してブラシ（１２２）を着座させるようブラシシールホルダ（１２０）の移動に抗するバネ部材（１９５）を含む、請求項２記載のブラシシール（１１０）。
【請求項４】
滑動ブラシシール機構（２９０）を選択的に滑動する手段が、滑動ブラシシールホルダ（１９０）に動作可能に接続され、第１の支持面（１２６）及び第２の支持面（１３１）のうちの一方に対してブラシ（１２２）を着座させるようブラシシールホルダの移動に抗するベローズ部材（２７０）を含む、請求項２記載のブラシシール（２１０）。
【請求項５】
滑動ブラシシール機構（１９０）を選択的に滑動する手段が、
第１のチャンバ（１４０）の圧力（Ｐ１）に曝される第１の端部面積（Ａ1eff）の第１のシリンダ（３７０）及び第２のチャンバ（１４５）の圧力（Ｐ２）に曝される第２の端部面積（Ａ2eff）の第２のシリンダ（３７５）を含む、滑動ブラシシールホルダ（３９０）に動作可能に接続された段階的シリンダ構成を含んでおり、段階的シリンダ構成が、第１の支持面（１２６）及び第２の支持面（１３１）のうちの一方に対してブラシ（１２２）を着座させるような移動に抗する、請求項２記載のブラシシール（３１０）。
【請求項６】
滑動ブラシシール機構（１９０）が、
ブラシシールアームセクタ（１２０）の第１の端部（１２４）に配置され且つ第１のバッキングプレート（１２５）を通って第１のチャンバ（１４０）に延びる第１のピストン（１７０）及びブラシシールアームセクタ（１２０）の第２の端部（１２７）に配置され且つ第２のバッキングプレート（１３０）を通って第２のチャンバ（１４５）に延びる第２のピストン（１７５）と、
第１のピストン（１７０）の端部に動作可能に接続され且つ第１のチャンバの圧力（Ｐ１）を受けて第１のチャンバ（１４０）内に配置される第１の圧力プレート（１８０）と、
第２のピストン（１７５）の対向する端部に動作可能に接続され且つ第２のチャンバの圧力（Ｐ２）を受けて第２のチャンバ（１４５）内に配置される第２の圧力プレート（１８５）と
を含んでおり、ブラシシール（１１０）が、次式：
Ｐ１×Ａ１−Ｐ２×Ａ２＞Ｋ×ｘ
（式中、Ｐ１は第１のチャンバ（１４０）の圧力であり、Ｐ２は第２のチャンバ（１４５）の圧力であり、Ａ１は、第２の支持面上のブラシシールホルダを着座させるよう作用する圧力Ｐ１を受ける有効面積であり、Ａ２は、第２の支持面上のブラシシールホルダの着座に抗するよう作用する圧力Ｐ２を受ける有効面積であり、Ｋはバネ定数である。）に従って、第１の支持面（１２６）及び第２の支持面（１３１）の間に滑動ブラシシール機構（１９０）の所定の移動を含む、請求項１記載のブラシシール（１１０）。
【請求項７】
ハウジング（１１５）は、ブラシ（１２２）が第１の支持面（１２６）及び第２の支持面（１３１）のうちの一方に着座されたときに、ブラシシールの端部が設計クリアランス（７０）で円形シャフトを係合するような固定位置に装着される、請求項１記載のブラシシール（１１０）。
【請求項８】
第１のチャンバ（４４０）と第２のチャンバ（４４５）との間の加圧流体（１６０）の移動を制限する逆流耐性ブラシシール（４１０）であって、当該ブラシシールが、
一緒に装着されてそれらの間にキャビティ（４３５）を形成する第１のバッキングプレート（４２５）と第２の対向するバッキングプレート（４３０）とを含む環状ハウジング（１１５）であって、第１のバッキングプレート（４２５）が第１の支持面（４２６）を含み、第２のバッキングプレート（４３０）が対向する第２の支持面（４３１）を含む環状ハウジング（１１５）と、
キャビティ（４３５）の上端部に半径方向に配置され、第１のバッキングプレート（４２５）及び第２のバッキングプレート（４３０）の間に軸方向に配置され、外側半径方向面及び内側半径方向面によって境界付けられる環状チャンバ（４７０）と、
環状チャンバ（４７０）内に配置され、環状チャンバ（４７０）の内側半径方向面及び外側半径方向面による軸方向弓状運動に拘束される浮遊ブラシシール組立体（４２０）と、
第１のチャンバ（４４０）の圧力（Ｐ１）が第２のチャンバ（４４５）の圧力（Ｐ２）よりも大きいときに、第２の支持面（４３１）上への浮遊ブラシシール組立体（４２０）のブラシ（４２２）を着座させる付勢手段（４９５）と、
第２のチャンバ（４４５）の圧力（Ｐ２）が第１のチャンバ（４４０）の圧力（Ｐ１）よりも大きいときに、浮遊ブラシシール組立体（４２０）を押し付けて第１の支持面（４２６）上に着座するように第２のチャンバ（４４５）をハウジング（４１５）の環状チャンバ（４７０）と固定接続する複数の軸方向圧力ポート（４９７）と
を備える逆流耐性ブラシシール（４１０）。
【請求項９】
付勢手段が、
環状チャンバ（４７０）内に軸方向に配置され、浮遊ブラシシール組立体（４２０）に作用するバネ（４９５）と、
バネ部材（４９５）と浮遊ブラシシール組立体（４２０）との間の環状チャンバ（４７０）内に配置された弓形プレート（４８０）と
を備えており、バネ部材（４９５）が、第１のチャンバ（４４０）の圧力（Ｐ１）が第２のチャンバ（４４５）の圧力（Ｐ２）よりも大きいときに、浮遊ブラシシール組立体（４２０）を付勢して第２の支持面（４３１）上に着座させる、請求項８記載の逆流耐性ブラシラシシール（４１０）。
【請求項１０】
環状チャンバ（４７０）内に配置される第２のバネ部材（５２５）及びプレート（５３０）を更に備えており、第２のバネ部材（５２５）がプレート（５３０）に半径方向内向きに作用して、浮遊ブラシシール組立体（４２０）を押し付けて環状チャンバ内で円滑に滑動させる、請求項９記載の逆流耐性ブラシラシシール（４１０）。